(57)【要約】【課題】  歯ブラシ毛の拡散反り返りを抑制する抱持具を提供する。【解決手段】  抱腕の抱腕内周形状寸法を、歯ブラシ毛根元平面外周形状寸法相当に合わせて二分割し、向かい合わせて一対の抱腕（１）と（２）の端部に、相対位置で抱腕（１）には開閉つまみ（３）を、抱腕（２）には開閉つまみ（４）をそれぞれ連設し、開閉つまみ（３）と開閉つまみ（４）の間に、湾曲状にバネつまみ（５）を付着し、帯状体に固定連結して構成さる、歯ブラシ毛拡散抑制抱持具で、バネつまみと開閉つまみの張力バネで、抱腕内に歯ブラシ毛を囲い込み、抱腕内周形状寸法範囲内に、歯ブラシ毛の拡散反り返りを抑制する。【選択図】    図１
2005334596.tif 000002
【特許請求の範囲】
【請求項１】
抱腕の抱腕内周形状寸法を、歯ブラシ毛根元平面外周形状寸法相当に合わせて二分割し、向かい合わせて一対の抱腕（１）と（２）の端部に、相対位置で抱腕（１）には開閉つまみ（３）を、抱腕（２）には開閉つまみ（４）をそれぞれ連設し、開閉つまみ（３）と（４）の間に、湾曲状にバネつまみ（５）を付着し、帯状体に固定連結して構成さる、歯ブラシ毛拡散抑制抱持具。
【発明の詳細な説明】
【技術分野】
【０００１】  本発明は、歯みがき用歯ブラシ毛の拡散反り返りを抑制する事を目的として、毎歯みがき直後、歯ブラシ毛を所定位置所定姿勢に囲い込み、拘持して、歯ブラシ毛の拡散反り返りを抑制する抱持具に関する。
【背景技術】
【０００２】  従来技術として、歯ブラシ毛の拡散を抑制する物で、歯ブラシケース及び歯ブラシ頭ケースが提供されている。
【発明の開示】
【発明が解決しようとする課題】
【０００３】  しかしながら、従来技術には下記のような問題を有していた。すなわち、歯ブラシケース及び歯ブラシ頭ケースは、本来ゴミやホコリから歯ブラシを守る為と、持ち歩きに備えての収納を目的としている為、ある程度の大きさ違う歯ブラシも収納出来る様、ケース内にゆとりの有るスペースとなっていて、フタを閉じた状態で毛の周辺に隙間がある為に、毛が正常置に拘束されにくく、又、広がった毛を囲い戻す様な構成には、なっておらず、ケース内スペース範囲での毛の拡散抑制となる為、歯ブラシ毛の拡散反り返り抑制効果は低いと云う問題を有している。
【問題を解決する為の手段】
【０００４】  本発明は、上記課題を解決する為、請求項１に記載の、抱腕の抱腕内周形状寸法を歯ブラシ毛根元平面外周形状寸法相当に合わせて二分割し、向かい合わせて一対の抱腕（１）と（２）の端部に、相対位置で抱腕（１）に開閉つまみ（３）を、抱腕（２）に開閉つまみ（４）をそれぞれ連設し、開閉つまみ（３）と（４）の間に、湾曲状にバネつまみ（５）を付着し、帯状体に固定連結して構成さる歯ブラシ毛拡散抑制抱持具で、以下、図及び構成においては、電動歯ブラシの歯ブラシ毛根元平面外周形状円形タイプ用であって、材料として、プラスチック等の合成樹脂を用いた場合の歯ブラシ毛拡散抑制抱持具である。
全体形状は、帯状体で一筆書き状に固定連結される構成である。従い抱腕の（６）位置と（７）位置は抱腕（１）と（２）が合わさるのみの可動自由面である。
全体を大きく分けて、二つの部分に分けられ、毛を囲い込む抱腕部分と、抱腕を開閉するつまみ部分である。
抱腕部は、抱腕（１）と（２）からなり、歯ブラシ毛を腕内に抱え込み拘持する部分であり、つまみ部は、開閉つまみ（３）及び（４）とバネつまみ（５）からなり、抱腕開閉の為のつまみであり、かつ、抱腕常閉力、及び、歯ブラシ毛囲い込み力となる張力を保有して配置される部分である。
実施方法は、開閉つまみの（１０）部位と（１１）部位により、同、部位間隔を狭める方向につまむ事で、抱腕（１）と（２）の間が開き（６）位置と（７）位置が広がり、抱腕は垂直方向の歯ブラシ毛に対し、水平方向より囲い込み、つまみを放すことで抱腕は閉じられ、拘持する事により、抱腕内周形状寸法範囲内に歯ブラシ毛の拡散反り返りを抑制する。
本発明は、すでに拡散反り返ってしまった歯ブラシ毛を、囲い戻し抑制する為の物ではない。毛のたわみや拡散が形状化しない内の歯ブラシを使い始めた時より、毎歯みがき直後に実施する事で、歯ブラシ毛の素材の持つ弾力性による復元力の手助けをする形で、歯ブラシ毛の拡散反り返りを抑制する抱持具である。
【考案の効果】
【０００５】  本発明によって、歯ブラシ寿命原因とされる毛の拡散反り返りを抑制する事が出来、歯ブラシの寿命を従来の１．５倍から２倍近く延命する効果があり、更に歯みがきが効率的に行え、しいては口内諸症病の予防にも役立つ等の効果に加え、シンプルな構成で安価に提供出来ることから、電動替え歯ブラシの高価な点から見て節約効果もある。
【考案を実施する為の最良の形態】
【０００６】  以下、本発明の実施形態について説明する。
（イ）抱腕は、歯ブラシ毛を元所定位置所定姿勢に囲い込む為に、抱腕内周形状寸法を歯ブラシ毛根元平面外周形状寸法相当に合わせて二分割し、向かい合わせて一対の抱腕（１）と（２）により、歯ブラシ毛の毛先方向近くより根元方向に沿って、毛垂直方向に対し、水平方向より図３に示す様に歯ブラシ毛を囲い込み、抱腕内周形状寸法範囲内において拡散反り返りの抑制をするが、抱腕内周形状寸法の、歯ブラシ毛根元平面外周形状寸法相当とは、歯ブラシ毛根元平面外周形状寸法の直径より、０．５ｍｍから２．５ｍｍ小さめとし、抱腕を閉じた時、歯ブラシ毛の反力と自重のバランスから本発明抱持具が、ずれ落ちない程度の小さめが望ましい。なを、抱腕巾においては、歯ブラシ毛の長さの４０％から６０％程度とし、毛根元方向を空けておくことが、通気の点からも望ましい。
（ロ）  閉つまみは、抱腕を開閉する為のつまみであり、かつ、抱腕常閉力、及び、歯ブラシ毛囲い込み力となる張力を持たされた、開閉つまみ（３）及び（４）とバネつまみ（５）からなる。張力の構成は、バネつまみ（５）を主張力とし、開閉つまみ（３）と（４）を補助張力として、それぞれの素材の持つ弾性力を張力として利用し、バネつまみ（５）は開閉つまみ（３）と（４）の間で、図において上向きな湾曲状に反らせてあらかじめ張力を持たせて配置され、開閉つまみ（３）と（４）においても弓なり状に反らせ、あらかじめ張力を持たせて、開閉つまみ（３）は図で右向き、開閉つまみ（４）は図で左向きの相対する向きで配置される。
なを、目指す目的の張力作用による形態は、抱腕閉腕時において張力を、抱腕先端（６）位置に集中させ、抱腕（１）と（２）が歯ブラシ毛の拡散しようとする反力に対抗して、抱腕先端に隙間を発生させない様しっかりと囲い込み出来る張力形態とし、かつ、抱腕尻（７）位置においては、なるべく隙間が発生しない程度の形態とする事である。
（ハ）  張力作用の構成は、バネつまみ（５）の主張力は、バネつまみ，開閉つまみ，抱腕それぞれの連結部が固定連結される事により開閉つまみを介し抱腕に達し、抱腕（１）と抱腕（２）を閉め合わせる作用をするが、抱腕尻（７）位置は開いてしまう。
開いてしまう理由を簡略的に示すと、バネつまみの（１０）部位と（１１）部位を底辺長さとし、抱腕先端（６）位置を頂点とする三角状の形において、バネつまみ（５）の張力によって底辺の（１０）部位と（１１）部位間隔を広げる作用をする事により中間に位置する抱腕尻（７）位置も広げられてしまう為で、この形態では目的とする形態とはならず、その為に広がろうとする抱腕尻の隙間に対して、開閉つまみの補助張力を利用し、あらかじめ持たせた張力を開放する形態が、抱腕尻の（８）位置と（９）位置間を閉め合わせる方向に変位する為、隙間の発生を押える事が出来、目的とする形態にする事ができる。
以上の構成により実施の形態は、バネつまみと開閉つまみの張力によって抱腕（１と（２）は閉め合わされており、抱腕は開閉つまみの（１０）と（１１）部位で間隔を狭める方向につまむ事で抱腕（１）と（２）間が開き、歯ブラシ毛根元平面外周形状寸法相当に合わせた寸法の抱腕内に、歯ブラシ毛を、毛垂直方向に対し、水平方向より、毛先方向近くから毛根元方向に沿って囲い込み、開閉つまみを放す事で抱腕（１）と（２）の間は閉じられ拘持する事で、抱腕内周形状寸法範囲内に歯ブラシ毛の拡散反り返りを抑制する。
本発明の実施例を示す。
（イ）  本発明の使用材料は軽量で容易に加工生産が出来、かつ、安価に提供する為、主にプラスチック等の合成樹脂を用いるが、装飾的でより耐久性のある物にする為に、金属材料、又は、金属材料と合成樹脂の複合材料等により作る事が出来る。
（ロ）  本発明はいろいろな形状の歯ブラシ毛に対しても、抱腕内周形状寸法を歯ブラシ毛根元平面外周形状寸法に合わせる事で、歯ブラシ毛拡散抑制抱持具が提供する事が出来る。
（ハ）  バネつまみの実施例として、バネつまみ（５）は湾曲な形状が、開閉つまみ操作時は更なる湾曲状に変形させられ、中央部分付近は大きな曲げ力を受けている、素材によっては素材の弾性限界に近ずき過ぎる為、中央部付近に曲げ力を集中させない様に分散させる目的で、バネつまみ（５）の両端部位（１０）と（１１）位置付近の端部から中央部分に向けて、Ｔ２矢視方向厚みを徐々に厚くし、バネつまみに加わる曲げ力に対する補強する事が出来る。
（に）  開閉つまみの（１０）と（１１）部位の実施例として、指の当たる部分の滑り止めとして、横か縦、又は、クロス状の溝、又は、突起を配し、つまみ易い構成とする事が出来る。
（ホ）  抱腕（１）と（２）の抱腕先端側面形状の実施例として、抱腕（１）と（２）が合わさる時、合わせ面の位置を安定させる為、図４において、抱腕（１）と（２）で、抱腕巾Ｔ３矢視方向の形状を相反するカーブ状に係り合わせ、なを、図５において、抱腕厚みＴ１矢視方向形状において、抱腕（１）と（２）で相反するカーブ状に係り合わせる等、それぞれ、又は、組み合わせて閉腕時の位置の安定を図る構成とする事が出来る。
（ヘ）  抱腕内周部分の実施例として、歯ブラシ毛の根元方向より毛先方向を有効に囲い込む為に、抱腕巾で毛根元側抱腕内周寸法より毛先側内周寸法を小さめとし、毛長さ方向に対して、テーパー状に囲い込みする抱腕巾形状とする事ができる。
（ト）  抱腕厚みの実施例として、抱腕の剛性に付いて、張力を抱腕先端まで伝える為には、素材の柔軟性や弾力性によって張力が吸収されない様なある程度の剛性が必要で、その為に、抱腕の補強としてＴ１矢視方向の抱腕厚みに関し、Ｔ３矢視方向の巾全体を厚くすると自重が重くなるので、抱腕背面の全周をカマボコ形にし部分的に厚くする、又は、抱腕背面の全周で一列、又は、二列の突起帯を配し、部分的に厚くして補強とする事が出来る。
【図面の簡単な説明】
【０００７】
【図１】本発明の平面図
【図２】本発明の側面図
【図３】本発明の実施形態による抱腕断面図
【図４】本発明実施例の抱腕先端部分側面図
【図５】本発明実施例の抱腕先端部分平面図
【符合の説明】
【０００８】１      抱腕
２      抱腕
３      開閉つまみ
４      開閉つまみ
５      バネつまみ
６      抱腕先端
７      抱腕尻
８      抱腕首部位
９      抱腕首部位
１０    開閉つまみ部位
１１    開閉つまみ部位
Ｔ１    抱腕厚み
Ｔ２    バネつまみ厚み
Ｔ３    抱腕巾
【図１】
2005334596.tif 000003
【図２】
2005334596.tif 000004
【図３】
2005334596.tif 000005
【図４】
2005334596.tif 000006
【図５】
2005334596.tif 000007